(57)【特許請求の範囲】
【請求項１】
弾性体よりなるＣ字状環体の一端に矢尻状の突刺杆を設け、他端に前記突刺杆が係止する嵌合孔を有する拡径の結合筒部を設けた牛の鼻輪を取付けるための取付具であって、
一対の杆の中央部を相互に軸着して鋏状に形成し、その軸着部の上側湾曲アーム同士による開口を鼻輪の形状に合せるとともに、断面を内面が半円弧状の溝に形成し、前記湾曲アームの端部に鼻輪の突刺杆と結合筒部をそれぞれ係止する係止部を形成した牛の鼻輪取付具において、
一対の杆はアルミニウム合金で作製し、中央部の相互軸着部は、軸となる合成樹脂製中空管とこれを貫通するボルトおよび該ボルトの先端に螺合するナットで構成し、合成樹脂製中空管を重ね合わせる一対の杆の中央部に貫通させ、合成樹脂製中空管は一対の杆の貫通孔を合わせた長さよりも少し短く、その端部は貫通孔内に引き込むようにしたことを特徴とする牛の鼻輪取付具。
【請求項２】
軸となる合成樹脂製中空管は、ポリフェニレンサルファイド樹脂を材質とする請求項１記載の牛の鼻輪取付具。
【発明の詳細な説明】
【技術分野】
【０００１】
本発明は、牛の識別などのために牛の鼻に装着する鼻輪の取付具に関するものである。
【背景技術】
【０００２】
牛の鼻輪は図４に示すように、硬質合成樹脂製リングの一箇所を分離させて弾性体よりなるＣ字状環体１を形成し、一方の分離端に矢尻状の突刺杆２を、他方の分離端に前記突刺杆２が結合する嵌合孔を有する拡径の結合筒部３を形成し、突刺杆２の基端部の係止段部２ａを結合筒部３３の嵌合孔内に形成した係止部（図示せず）係止して突刺杆２と結合筒部３を結合することで、穿孔具による鼻中隔への穿孔作業を不要とし、また、鼻輪の装着もリングの一端を突刺杆２を他端の結合筒部３に挿入するだけの作業で足りるものとして、ネジ等で両端を連結する作業も不要としたものである。
【０００３】
このような牛の鼻輪を牛の鼻に取付ける取付具として下記特許文献１にもその一例があるが下記のようなものが知られている。
【特許文献１】特開平１０−８４８０４号公報
【０００４】
これは図５に示すように一対の杆７ａ，７ｂの中央部を相互に軸着して鋏状に形成し、その軸着部１０の上側湾曲アーム同士１１による開口１２を鼻輪の形状に合せるとともに、湾曲アーム同士１１の断面を内面が半円弧状の溝８に形成し、湾曲アーム同士１１の端部に鼻輪の突刺杆２と結合筒部3をそれぞれ係止する係止部９ａ，９ｂを形成してある。
【０００５】
そして、結合筒部３を係止部９ｂに装着するには、係止部９ｂの略コ字形の凹部内に略蒲鉾型の結合筒部３を無理やり押し込む。結合筒部３の端部の段差箇所が係止され、結合筒部３の先端は係止部９ｂより少し先にでる。また、係止部９ａは突起であり、湾曲凹部による二股形状としてＣ字状環体１の途中を係止する。
【０００６】
使用に際しては、湾曲アーム同士１１による開口１２を開き、牛の鼻輪は突刺杆２と結合筒部３が離れている状態で、一方の係止部９ａに鼻輪の突刺杆２が係止される状態で、牛の鼻の鼻中隔を貫通させるように開口１２を閉じて突刺杆２を結合筒部３に挿入して、輪を形成する。
【発明の開示】
【発明が解決しようとする課題】
【０００７】
前記従来の牛の鼻輪の取付具は、中央部を相互に軸着して鋏状に形成した一対の杆は、鋳鉄で作製されているので全体がかなり重く、使い勝手の悪いものであった。
【０００８】
また、前記軸着を行う軸着部１０は鉄またはステンレス製のボルト・ナットによるもので、湾曲アーム同士１１による開口１２の開閉に摩擦抵抗を生じやすい。
【０００９】
しかも、軽量化を目的に鋏状に形成した一対の杆をアルミニウム合金や合成樹脂で作製した場合に、前記鉄またはステンレス製のボルト・ナットによる軸着部１０では、杆自体に割れやヒビなどの損傷を生じるおそれがある。
【００１０】
本発明の目的は前記従来例の不都合を解消し、軽量化でき、使い勝手が向上するとともに、一対の杆の中央部を相互に軸着して鋏状に形成する場合に軸着部が杆本体を傷めるおそれがなく、しかも、摩擦抵抗なくスムーズな回動が得られる牛の鼻輪の取付具を提供することにある。
【課題を解決するための手段】
【００１１】
本発明は前記目的を達成するため、請求項１記載の発明は、弾性体よりなるＣ字状環体の一端に矢尻状の突刺杆を設け、他端に前記突刺杆が係止する嵌合孔を有する拡径の結合筒部を設けた牛の鼻輪を取付けるための取付具であって、一対の杆の中央部を相互に軸着して鋏状に形成し、その軸着部の上側湾曲アーム同士による開口を鼻輪の形状に合せるとともに、断面を内面が半円弧状の溝に形成し、前記湾曲アームの端部に鼻輪の突刺杆と結合筒部をそれぞれ係止する係止部を形成した牛の鼻輪取付具において、一対の杆はアルミニウム合金で作製し、中央部の相互軸着部は、軸となる合成樹脂製中空管とこれを貫通するボルトおよび該ボルトの先端に螺合するナットで構成し、合成樹脂製中空管を重ね合わせる一対の杆の中央部に貫通させ、合成樹脂製中空管は一対の杆の貫通孔を合わせた長さよりも少し短く、その端部は貫通孔内に引き込むようにしたことを要旨とするものである。
【００１２】
請求項１記載の本発明によれば、一対の杆はアルミ合金もしくは合成樹脂で作製したので、従来の鋳鉄製と比べて１／５以下に軽量化でき、また、杆中央部の相互軸着部は、合成樹脂製中空管を軸とするので、回動の際の摩擦抵抗を減らすことができ、杆本体を傷めるおそれもない。さらに、杆相互の軸止めは、ボルトを合成樹脂製中空管に貫通させ、先端にナットを螺合させて止めるようにしたので、軸となる合成樹脂製中空管を痛めることなく、杆相互をしっかりと結合できる。
【００１３】
請求項２記載の発明は、軸となる合成樹脂製中空管は、ポリフェニレンサルファイド樹脂を材質とすることを要旨とするものである。
【００１４】
請求項２記載の発明によれば、軸となる合成樹脂製中空管はポリフェニレンサルファイド樹脂を材質とすることで、高い耐熱性を持ち、強度や剛性がきわめて高く、耐磨耗性にも優れるものとなる。
【発明の効果】
【００１５】
以上述べたように本発明の牛の鼻輪取付具は、軽量化でき、使い勝手が向上するとともに、一対の杆の中央部を相互に軸着して鋏状に形成する場合に軸着部が杆本体を傷めるおそれがなく、しかも、摩擦抵抗なくスムーズな回動が得られるものである。
【発明を実施するための形態】
【００１６】
以下、図面について本発明の実施形態を詳細に説明する。図１は本発明の牛の鼻輪取付具の１実施形態を示す正面図で、鼻輪取付具の基本的構造および取付ける牛の鼻輪の構造は前記従来例と同様であり、牛の鼻輪は図４に示すように、硬質合成樹脂製リングの一箇所を分離させて弾性体よりなるＣ字状環体１を形成し、一方の分離端に矢尻状の突刺杆を、他方の分離端に前記突刺杆２が結合する嵌合孔５を有する拡径の結合筒部３を形成し、突刺杆２の基端部の係止段部２ａを結合筒部３の嵌合孔内に形成した係止部（図示せず）係止して突刺杆と結合筒部３を結合する。
【００１７】
図示は省略するが、結合筒部３には外側に成形時の脱型のための抜き孔、成形時のひずみを防止するための肉盗み孔が形成してある。
【００１８】
また、鼻輪取付具は、一対の杆７ａ，７ｂの中央部を相互に軸着して鋏状に形成し、その軸着部１０の上側湾曲アーム同士１１による開口１２を鼻輪の形状に合せるとともに、湾曲アーム同士１１の断面を内面が半円弧状の溝８に形成し、湾曲アーム同士１１の端部に鼻輪の突刺杆２と結合筒部3をそれぞれ係止する係止部９ａ，９ｂを形成してある。
【００１９】
本発明は、前記鼻輪取付具は従来のようなステンレスではなく、これをアルミ合金もしくは合成樹脂で作製することにより、全体を軽量なものとした。
【００２０】
そして、鼻輪の結合筒部３を係止する係止部９ｂの構造を、図２に示すように本体を平板状部１６に形成するものとした。すなわち、従来の断面肉厚の台盤１３の形状に比べて厚さの薄いものとなる。
【００２１】
かかる係止部９ｂの一端に湾曲アーム１１の半円弧状の溝８が開口する係止壁１５を形成し、また、先端に下向きの方向の突片１７を左右２個前記係止壁１５の高さよりも低く突設した。
【００２２】
このようにして係止部９ｂは平板状部１６の左右両側方に開放面１８が形成される。
【００２３】
一対の杆７ａ，７ｂの中央部を相互に軸着して鋏状に形成した取付具の軸着部１０の下側は把手１９であり、その下端は曲成して下げ紐などの係止部２０を形成した。
【００２４】
図示の実施形態は係止部２０は把手１９の下端が横方向に張り出すＴの字形に形成したが、これに限定されるものでなく、Ｃの字形に曲げたもの、もしくはくの字に屈曲させたもの、さらに挟みのように輪体として形成したものなどが選択できる。
【００２５】
前記係止部２０は相互に衝突する衝突部２０ａを有し、この衝突部２０ａを含めて該係止部２０の横幅長さは、上側湾曲アーム１１同士による開口１２の開きを完全に閉状態にする場合において、鼻輪の突刺杆２と結合筒部３をそれぞれ係止する係止部９ａ，９ｂ同士の間に隙間２１を生じるように調整する。
【００２６】
このように本発明の鼻輪取付具は把手１９の下端に係止部２０を設けることで全体の長さを短くして軽量化を図ることが可能となる。
【００２７】
なお、図示は省略するが、把手１９の下端に係止部２０を設けないことも可能である。係止部２０は吊り下げ用の突起として利用できるものであるが、これに代わるものとして把手１９の下端に前後方向に突起を設けることもできる。その場合、係止部２０は把手１９の下端が横方向に張り出すＴの字形に形成したのに対して前後方向に張り出すＴの字形に形成することになる。
【００２８】
前記軸着部１０であるが、合成樹脂製中空管２２を軸とし、この合成樹脂製中空管２２を重ね合わせる一対の杆７ａ，７ｂの中央部に貫通させた。なお、合成樹脂製中空管２２は一対の杆７ａ，７ｂの貫通孔２６、２６を合わせた長さよりも少し短く、その端部は貫通孔２６内に引き込むようにした。
【００２９】
合成樹脂製中空管２２を形成する合成樹脂は、特に限定はなく、一般に使用されるポリエチレン(PE)、高密度ポリエチレン(HDPE)、中密度ポリエチレン(MDPE)低密度ポリエチレン(LDPE)、ポリプロピレン(PP)、ポリ塩化ビニル(PVC)ポリ塩化ビニリデン、ポリスチレン(PS)、ポリ酢酸ビニル(PVAc)、ポリウレタン(PUR)、ＡＢＳ樹脂（アクリロニトリルブタジエンスチレン樹脂）、ＡＳ樹脂、アクリル樹脂(PMMA)や、エンジニアリング・プラスチックと称されるポリアミド(PA)、ナイロン、ポリアセタール(POM)、ポリカーボネート(PC)、変性ポリフェニレンエーテル(m-PPE、変性PPE、PPO)、ポリエステルの内、ポリエチレンテレフタレート(PET)、グラスファイバー強化ポリエチレンテレフタレート(GF-PET)、ポリブチレンテレフタレート(PBT)、環状ポリオレフィン(COP)などから選択してもよいが、さらに高い熱変形温度と長期使用出来る特性を持つ、ポリフェニレンスルファイド(PPS)、ポリテトラフロロエチレン(PTFE)、ポリサルフォン（ＰＳＦ）、ポリエーテルサルフォン(PES)(Polyethersulfone)、非晶ポリアリレート(PAR)、液晶ポリマー(LCP)、ポリエーテルエーテルケトン(PEEK)、熱可塑性ポリイミド(PI)、ポリアミドイミド(PAI)(Polyamide-imide)などを選択できる。
【００３０】
なかでもポリフェニレンサルファイド樹脂（(PPS)を材質とすることが好適であり、軸となる合成樹脂製中空管２２はポリフェニレンサルファイド樹脂を材質とすることで、高い耐熱性を持ち、強度や剛性がきわめて高く、耐磨耗性にも優れるものとなる。
【００３１】
図中２３は金属製もしくは合成樹脂製のボルト（六角ボルト）、２４は該ボルトの先端に螺合する金属製もしくは合成樹脂製ナット（六角ナット）で、ボルト２３を金属製もしくは合成樹脂製のワッシャー２５を介在させて一方の杆７ａ側から差し込み、合成樹脂製中空管２２に貫通させ、その先端は他方の杆７ａの外側に出してワッシャー２５を介在させてからナット２４を嵌めた。
【００３２】
このようにして一対の杆７ａ，７ｂはボルト２３およびナット２４で締結される。
【００３３】
なお、ボルト２３は全ネジタイプでよく、また、合成樹脂製ナット２４は袋ナットを用いたが、これに限定されるものではない。
【００３４】
次に使用法および作用について説明すると、鼻輪の突刺杆２が係止される一方の係止部９ａで突刺杆２が保持される。
【００３５】
他方の係止部９ｂは結合筒部３を装着するのに無理やり押し込むのではなく、軽く止めることができ、結合筒部３は上面を平板状部１６で押えられる。
【００３６】
把手１９を握って開口１２を閉じれば、湾曲アーム１１同士により鼻輪が狭められ、突刺杆２を結合筒部３に挿入して、輪を形成する。
【００３７】
その後、開口１２を開けば、図５に示すように、鼻輪は係止部９ａがある湾曲アーム１１側に残り、さらに開口１２を開けば、簡単に取付具より外れる。
【００３８】
このように開口１２を開け閉めするのに、把手１９を握って一対の杆７ａ，７ｂを回動させるが、杆７ａ，７ｂは合成樹脂製中空管２２を軸として摩擦抵抗なくスムーズに動かすことができる。しかも、合成樹脂製中空管２２が太めなので、ガタ付くこともない。
【００３９】
また、杆７ａ，７ｂはボルト２３およびナット２４で締結されるので、離間することなく、しかも、合成樹脂製中空管２２の端部は貫通孔２６内に引き込むので、ボルト２３およびナット２４での締結の邪魔になることなく、ボルト２３およびナット２４の緩みを惹起することもない。
【図面の簡単な説明】
【００４０】
【図１】本発明の牛の鼻輪取付具の１実施形態を示す軸着部の縦断側面図である。
【図２】本発明の牛の鼻輪取付具の１実施形態を示す軸着部の構成部材の斜視図である。
【図３】本発明の牛の鼻輪取付具の１実施形態を示す正面図である。
【図４】本発明の牛の鼻輪取付具の使用状態の開きの第１段階を示す正面図である。
【図５】本発明の牛の鼻輪取付具の使用状態の開きの第２段階を示す正面図である。
【符号の説明】
【００４１】
１…Ｃ字状環体              ２…突刺杆
３…結合筒部                ２ａ…係止段凹部
４…係止凹部
７ａ，７ｂ…杆              ８…溝
９ａ，９ｂ…係止部          １０…軸着部
１１…湾曲アーム            １２…開口
１３…台盤                  １４…垂壁
１５…係止壁                １６…平板状部
１７…突片                  １８…開放面
１９…把手                  ２０…係止部
２０ａ…衝突部              ２１…隙間
２２…合成樹脂製中空管      ２３…ボルト
２４…ナット                ２５…ワッシャー
２６…貫通孔
【図１】
0005993050.tif 000002
【図２】
0005993050.tif 000003
【図３】
0005993050.tif 000004
【図４】
0005993050.tif 000005
【図５】
0005993050.tif 000006